(57)【要約】【課題】  画像のデータ量を抑制しつつ、様々な演出を行う。【解決手段】  画像表示装置８には、ＢＢ、ＲＢ、小役などの当選役に入賞したことを示唆する演出画像が表示される。画像表示装置８の前方には、視野角規制フイルム１０が設けられている。移動機構１１は、視野角規制フイルム１０が画像表示装置８の前面に位置し、画像表示装置８に表示される画像の視野角を規制する視野角規制位置と、画像表示装置８の前面から退避する退避位置との間で視野角規制フイルム１０を移動させる。視野角規制フイルム１０の移動によって画像に変化が与えられるので、画像データ量を抑制しつつ演出を行うことができる。【選択図】        図２
2006230695.tif 000002
【特許請求の範囲】
【請求項１】
画像の表示を行う画像表示手段と、前記画像表示手段の前方に設けられた視野角規制フイルタと、前記画像表示手段に表示される画像の視野角を規制する規制位置、及び前記画像表示手段から退避する退避位置の間で前記視野角規制フイルタを移動させる移動手段と、この移動手段の動作を制御する制御手段とを備えたことを特徴とする遊技機。
【請求項２】
前記制御手段は、遊技中に行われる当たり又はハズレの当選役抽選の抽選結果に基づいて前記移動手段を動作させて前記視野角規制フイルタの移動を行わせることを特徴とする請求項１記載の遊技技。
【請求項３】
前記視野角規制フイルタは、その切断面が円弧状の曲面形状に形成されていることを特徴とする請求項１又は２記載の遊技機。
【発明の詳細な説明】
【技術分野】
【０００１】
本発明は、パチンコ店などの遊技場に設置して使用される遊技機に関するものである。
【背景技術】
【０００２】
パチンコ店などの遊技場に設置して使用されるスロットマシンはパチスロ機と称され、メダルに一定の価値が与えられて、ゲームを行って獲得したメダルを種々の景品に交換することができる。近年、パチスロ機には、画像を表示する液晶表示装置が組み込まれていることが一般的である（例えば、特許文献１）。
【０００３】
上述したようなパチスロ機に設けられた液晶表示装置には、遊技に応じた様々な演出画像が表示され、この液晶表示装置による演出画像がパチスロ機で遊技を行ううえでのもう１つの楽しみとなってきている。このような液晶表示装置に表示される演出画像の表示プログラムは、パチスロ機の主制御部であるメイン基板などに設けられたグラフィックメモリ内に格納されている。
【０００４】
一方、上述したようなパチスロ機に組み込まれるものではなく、他の電子機器に組み込まれる液晶表示装置では、特許文献２，３に記載されているように、視野角規制フイルタを備えているものが多い。この視野角規制フイルタは、液晶表示装置に表示される画像の視認可能範囲を規制するものであり、主に他人からの覗き見を防止するために設けられている。
【特許文献１】特開２００４−３２１６５３号
【特許文献２】登録実用新案第３０５４３３５号
【特許文献３】登録実用新案第３０５８４７７号
【発明の開示】
【発明が解決しようとする課題】
【０００５】
最近では、様々な演出がパチスロ機で行われるようになってきているため、液晶表示装置に表示される画像のデータ量が増加し、パチスロ機に組み込まれるグラフィックメモリの容量の限界まで表示プログラムが格納されるようになってきていることから、液晶表示装置に表示される演出画像の数を抑制しつつ、さらに別の演出を行うことが求められている。そこで、上記特許文献２，３に記載されている視野角規制フイルタを設けて、液晶表示装置に表示される画像に変化を与えることが考えられるが、従来の遊技機では視野角規制フイルタを用いたものは見当たらず、特に視野角規制フイルタを演出や遊技性の向上のために用いているものは無かった。
【０００６】
本発明は、上記課題を解決するためになされたもので、画像表示手段に表示される画像のデータ量を抑制しつつ、様々な演出を行うことが可能な遊技機を提供することを目的とする。
【課題を解決するための手段】
【０００７】
上記目的を達成するために、本発明の遊技機は、画像の表示を行う画像表示手段と、前記画像表示手段の前方に設けられた視野角規制フイルタと、前記画像表示手段に表示される画像の視野角を規制する規制位置、及び前記画像表示手段から退避する退避位置の間で前記視野角規制フイルタを移動させる移動手段と、この移動手段の動作を制御する制御手段とを備えたことを特徴とする。
【０００８】
なお、本発明における画像表示手段とは、画像の表示を行うことが可能な装置であり、例えば、液晶表示装置や、ブラウン管ディスプレイ、有機ＥＬディスプレイ、プラズマディスプレイなどの各種表示装置である。
【０００９】
本発明の遊技機は、前述した必須の構成要素からなるが、その構成要素が具体的に以下のような場合であっても成立する。
【００１０】
また、前記制御手段は、遊技中に行われる当たり又はハズレの当選役抽選の抽選結果に基づいて前記移動手段を動作させて前記視野角規制フイルタの移動を行わせることが好ましい。さらにまた、前記視野角規制フイルタは、その切断面が円弧状の曲面形状に形成されていることが好ましい。
【発明の効果】
【００１１】
本発明によれば、画像の表示を行う画像表示手段と、画像表示手段の前方に設けられた視野角規制フイルタと、前記画像表示手段に表示される画像の視野角を規制する規制位置、及び前記画像表示手段から退避する退避位置の間で前記視野角規制フイルタを移動させる移動手段と、この移動手段の動作を制御する制御手段とを備えているので、画像表示手段に表示される画像のデータ量を抑制しつつ、視野角規制フイルタの移動によって変化を与えることができるので様々な演出を行うことができる。
【００１２】
さらに、前記制御手段は、遊技中に行われる当たり又はハズレの当選役抽選の抽選結果に基づいて前記移動手段を動作させて前記視野角規制フイルタの移動を行わせることや、視野角規制フイルタの切断面が円弧状の曲面形状、又は平板形状に形成されていることによって、画像に変化を与えてより効果的な演出を行うことができる。
【発明を実施するための最良の形態】
【００１３】
図１に本発明を用いた遊技機の１実施例であるスロットマシン２の外観を示す。スロットマシン２には、１〜３枚のメダルをベットして遊技が行われる通常モード、通常モードよりもメダルを獲得する確率が高くなるレギュラーボーナス（以下、ＲＢ）モード、ＲＢモードへの移行が所定の回数（例えば、３回）行われるビッグボーナス（以下、ＢＢ）モードが設けられている。通常モードでの当選役抽選でＲＢに当選し、ＲＢを入賞させると通常モードからＲＢモードに移行される。通常モードでの当選役抽選でＢＢに当選し、ＢＢを入賞させると通常モードからＢＢモードに移行される。また、ＲＢモードは、１枚のメダルベットでの遊技が行われ、最大８回入賞するか、または最大１２回の遊技を行うことでＲＢモードが終了する。
【００１４】
スロットマシン２は、筐体３の前面に設けられた２枚の前面扉（以下、上部前面扉４及び下部前面扉５とする）を有している。これら前面扉のうち上部前面扉４には表示窓６ａ，６ｂが横に並んで配置され、表示窓６ａの奥に第１リール７ａ、第２リール７ｂ、第３リール７ｃが配置される。周知のように、第１〜第３リール７ａ〜７ｃの外周には様々な図柄が一定ピッチで配列され、リールが停止した状態では対応する表示窓６ａを通して１リール当たり３個の図柄が観察される。これにより、各リールの図柄を１個ずつ組み合わせた直線状の入賞ラインが横３本斜め２本の合計５本設定されている。なお、表示窓６ａの個数は１つに限定する必要はなく、例えば各々のリール毎に表示窓を設けるようにしても良い。
【００１５】
表示窓６ｂの奥には画像表示装置（画像表示手段）８と、後述する視野角規制フィルム（視野角規制フイルタ）１０、及びこの視野角規制フィルム１０を移動させる移動機構（移動手段）１１（図２参照）が設けられる。画像表示装置８には、例えば文字やキャラクターによって、ＢＢ、ＲＢ、小役などの当選役に入賞したことを示唆する演出画像などが表示される。
【００１６】
下部前面扉５の上部には、遊技の開始時に操作される１枚ベットボタン１５、ＭＡＸベットボタン１６、ペイアウトボタン１７などの各種の操作ボタンが設けられる。なお、これらの操作ボタンの機能はいずれも周知であるので、その詳細については省略する。また、これら操作ボタンの下部には、メダルベットが行われた後に操作されるスタートレバー１８や、スタートレバー１８の操作により回転するリールを停止させる第１〜第３ストップボタン２１〜２３等が設けられる。また、下部前面扉５には、遊技を行う際にメダルを投入するためのメダル投入口２４が設けられている。さらにまた、下部前面扉５の下部には、メダル払い出し口２６及びメダル受け皿２７が設けられており、入賞に応じた払い出し枚数のメダルが払い出し口２６から払い出され、メダル受け皿２７によって受け止められる。
【００１７】
図２は、スロットマシン２に設けられた、画像表示装置８及び視野角規制フィルム１０及び移動機構１１の構成を示す斜視図である。画像表示装置８は、表示ドライバ１２を介して制御装置１３に制御されている。なお、制御装置１３は、スロットマシン２を構成する各種機構の制御を行うものである。
【００１８】
視野角規制フィルム１０は、画像表示装置８の前方に位置するように配設されている。この視野角規制フイルム１０は、略水平方向に沿って切断した切断面が前方に凸となるように配置された円弧状の断面で、その軸方向が上下方向とほぼ平行な円筒形状の一部分となる曲面形状に形成されており、画像表示装置８に表示される画像の視認可能範囲を規制するものである。本実施形態においては、この視野角規制フイルム１０は、樹脂製透明シートの表面にルミスティフィルム（商品名；株式会社ヤマヒラより販売されている。）と呼ばれるものを貼り付けて形成したものである。なお、視野角規制フイルム１０の構成としてはこれに限らず、パソコンや携帯電話などの画像表示モニタの前面に設けられた一般的な構成の視野角規制フイルムであればよい。
【００１９】
移動機構１１は、支持部材３１、ガイド部材３２、ソレノイド３３、リンク部材３４、及びコイルバネ３６からなる。支持部材３１は、視野角規制フイルム１０に合わせた矩形状の枠部４１と、その枠部４１の上下に位置し、水平方向に沿って延びる横長板状の嵌合部４２ａ，４２ｂと、リンク部材３４と連結される連結軸４３とが一体に設けられている。視野角規制フイルム１０は、枠部４１の前面に固定されて背面側から支持される。
【００２０】
ガイド部材３２は、画像表示装置８を保持する保持枠４６と、この保持枠４６の上下に位置し、水平方向に沿って延びる「コ」の字断面状のガイドレール４７ａ，４７ｂと、ソレノイド３３、リンク部材３４、及びコイルバネ３６を支持するフレーム部４８とが一体に設けられている。ガイドレール４７ａ，４７ｂには、支持部材３１の嵌合部４２ａ，４２ｂが嵌合する。このガイドレール４７ａ，４７ｂに沿って支持部材３１を移動させることによって、視野角規制フイルム１０が画像表示装置８の前面に位置し、画像表示装置８に表示される画像の視野角を規制する視野角規制位置（図３（Ａ）参照）と、画像表示装置８の前面から退避する退避位置（図３（Ｂ）参照）との間で移動可能となっている。
【００２１】
リンク部材３４は、略細長板状の中央付近の位置に、ガイド部材３２のフレーム部４８と回動自在に嵌合する回転軸５１が、一端部には、支持部材３１の連結軸４３と嵌合する長孔５２が、他端部には、コイルバネ３６が取り付けられる取付ピン５３が、この取付ピン５３の付近には、ソレノイド３３の駆動鉄芯３３ａからの押圧を受ける被押圧板５４とが一体に形成されている。コイルバネ３６は、その一端３６ａがリンク部材３４の取付ピン５３に固定されるとともに、他端３６ｂがフレーム部４８に固定されている。これによって、コイルバネ３６は、移動機構１１を上方から視たときの反時計方向にリンク部材３４を付勢する（図３（Ｂ）に示す状態）。コイルバネ３６からの付勢はリンク部材３４を介して支持部材３１に伝達される。この付勢を受けた支持部材３１はフイルム規制位置側から退避位置側へと移動し、コイルバネ３６が最も縮み切った位置で支持部材３１及び視野角規制フイルム１０が停止する。これにより、通常時には、視野角規制フイルム１０は退避位置に停止している。
【００２２】
ソレノイド３３は、駆動鉄芯３３ａ、ボビン３３ｂ、及びこれらを保持するフレーム３３ｃからなり、駆動鉄芯３３ａ及びボビン３３ｂの軸方向がガイド部材３２のガイドレール４７ａ，４７ｂと平行な方向に沿って配置されている。ソレノイド３３は、ドライバ５５を介して制御装置１３に制御されており、その作動条件によって、ボビン３３ｂへの通電状態及び無通電状態が切り替えられて駆動鉄芯３３ａが移動する。そして通電状態のとき、駆動鉄芯３３ａは、ボビン３３ｂから突出する位置に移動する。このとき、駆動鉄芯３３ｂからの押圧を受けたリンク部材３４は、コイルバネ３６からの付勢に抗して時計方向に回動する（図３（Ａ）に示す状態）。このリンク部材３４の回動によって、支持部材３１及び視野角規制フイルム１０が移動する。これにより、駆動鉄芯３３ａが最も突出した位置で停止したとき、視野角規制フイルム１０は視野角規制位置で停止する。
【００２３】
一方、ソレノイド３３が無通電状態となったとき、駆動鉄芯３３ａは、ボビン３３ｂの内部に引き込まれる。このとき、リンク部材３４は駆動鉄芯３３ａからの押圧が解除され、コイルバネ３６の付勢によって回動する。このリンク部材３４の回動により、視野角規制フイルム１０は、視野角規制位置から退避位置へと復帰する。
【００２４】
上述した視野角規制フイルム１０及び移動機構１１によって、画像表示装置８に表示される画像に変化を与える演出を行うことが可能となる。図４は、視野角規制フイルム１０及び移動機構１１によって行う演出表示の一例を示すものである。視野角規制フイルム１０が視野角規制位置（図３（Ａ））にあるとき、画像表示装置８に表示される画像は、図４（Ａ）に示す状態（視野角規制状態）となっている。なお、この図４（Ａ）に示す視野角規制状態は、遊技者５０が画像表示装置８と正対する位置（図５の実線で示す位置）から画像を視認している場合を示すものである。図４（Ａ）に示すように、視野角規制状態で画像表示装置８に表示される画像は、視野角規制フイルム１０によって視野角が規制され、視認可能な範囲が狭くなっている。すなわち、上述したように視野角規制フイルム１０は前方に凸な円弧状をした曲面形状となっているため、画像表示装置８に表示される画像は、幅方向中央近辺の領域８ａのみが視認可能となっており、その領域８ａの両側の領域８ｂ，８ｃは視認不可能となっている。なお、このような視野角規制状態は、遊技者が画像表示装置８に正対する位置だけであり、遊技者５０が画像表示装置８を斜めから視認する位置（図５の二点鎖線で示す位置）にいるときには、画像表示装置８の両側の領域８ｂ，８ｃも視認可能となる。
【００２５】
そして、移動機構１１により視野角規制フイルム１０が視野角規制位置から退避位置（図３（Ｂ））に移動すると、視野角規制フイルムによる視野角の規制が解除された状態（規制解除状態）となり、図４（Ｂ）に示すように、画像表示装置８に表示される画像は、全てが視認可能となる。
【００２６】
上記構成の作用について説明する。なお、本実施形態においては、スロットマシン２の当選役抽選で、当選役として小役が抽選された場合を例に上げて説明する。スロットマシン２において遊技者が遊技を行うとき、先ずメダルをベットした後、スタートレバー１８を押し下げ操作すると、リール７ａ〜７ｃが回転して図柄の変動が開始し、第１〜第３ストップボタン２１〜２３のへの押圧によりリール７ａ〜７ｃの停止操作を行う。
【００２７】
このとき、制御装置１３は、スタートレバーの押し下げ操作に応じて当選役の抽選を行い、その結果がＲＢ、ＢＢ、小役などの当選役になった場合、移動機構１１のソレノイド３３を作動して退避位置から視野角規制位置に視野角規制フイルム１０を移動させる（図３（Ａ）に示す状態）。この視野角規制フイルム１０が視野角規制位置に移動した後、制御装置１３は、画像表示装置８に演出表示を表示させるが、このとき、スロットマシン２の制御装置１３は、小役当選に応じたグラフィックデータを内蔵のメモリ６５（図２参照）から読み出しており、画像表示装置８には小役の演出表示が既に表示されている。ところがこの視野角規制状態では、視野角規制フイルム１０が画像表示装置８の視野角を規制しているので、遊技者からは、小役の演出表示は視認不可能で、当選役に関係のないキャラクター６１の演出表示のみが視認可能な状態となっている（図４（Ａ）に示す状態）。そして、リール７ａ〜７ｃの停止操作が終了すると、移動機構１１が作動して視野角規制フイルム１０が視野角規制位置から退避位置に復帰する。これによって、画像表示装置８は規制解除状態となり、遊技者から全ての演出表示が視認可能となる（図４（Ｂ）に示す状態）。すなわち、遊技者は、当選役抽選が決定される前に視認可能だったキャラクター６１とともに、小役に当選したことを示唆するベル６２の演出表示も視認可能となり、これらの演出表示から小役に当選したことを確認することができる。このようにして視野角規制フイルム１０を移動させることで、画像表示装置８に表示させる画像に演出を加えることが可能となり、視野角規制フイルム１０の移動前後で同じ画像を使用することができるので、演出画像の枚数を抑制し、画像のデータ量を縮小することが可能となる。また、視野角規制フイルムを用いることによって、単に画像を隠すだけではなく、通常隠されている画像を遊技者が別の角度から視認するようにすれば視認可能になるという面白さがあり、遊技性の向上を図ることができる。なお、上記では当選役として小役が抽選された場合を例に上げて説明しているが、小役以外の当選役が抽選された場合でも、制御装置１３は、それぞれの当選役に応じた演出画像を画像表示装置８に表示し、同様に当選を示唆する部分を隠した後、視野角規制フイルム１０の位置を切り換えて当選を示唆する部分を視認可能にする。
【００２８】
なお、上記実施形態においては、視野角規制フイルム１０が視野角規制位置にあるときには、画像表示装置８の前面を全て覆うように位置しているが、これに限らず、少なくとも一部分、例えば図６に示すように、視野角規制フイルム７０が画像表示装置８の半面のみを覆うようにする。このようにすれば、遊技者から視認不可能な部分を得ることができるので、上記実施形態と同様の演出を行うことできる。また、図６の変形例として図７のように、半面には、上記実施形態のような曲面状の視野角規制フイルム７１が位置し、残りの半面には平板状の視野角規制フイルム７２を配置して、画像表示装置８を覆うようにしてもよい。
【００２９】
さらにまた、上記実施形態においては、視野角規制フイルム１０が移動する契機として、スタートレバー１８の押し下げ操作終了後（退避位置から視野角規制位置に移動）や、ストップボタン２１〜２３への押圧によるリール７ａ〜７ｃの停止操作のとき（視野角規制位置から退避位置への移動）を例に上げて説明しているが、本発明はこれに限らず、例えばストップボタン２１〜２３の停止操作が行われたときから、予め設定した所定時間の経過後に、視野角規制フイルム１０を視野角規制位置から退避位置、又はその逆のパターンで移動させて演出を行うようにしてもよい。あるいは、１枚ベットボタン１５、ＭＡＸベットボタン１６によるベット操作から所定時間経過後に視野角規制フイルム１０の移動を行う。このベット操作を契機とした演出の場合、例えば、ベット操作直後は、高確率状態の演出、視野角規制フイルム１０の移動後は、ボーナス状態の演出となるように、同じ演出画像を使用しながらも、ベット操作直後は高確率状態を示唆する部分のみを視認可能とし、且つボーナス状態を示唆する部分を視野角規制フイルム１０によって視認不可能な状態にした後、視野角規制フイルム１０を退避位置へ移動させてボーナス状態を示唆する部分を視認可能とすればよい。
【００３０】
また、上記実施形態では、視野角規制フイルム１０を１つだけ使用しているが、本発明はこれに限らず、２つ以上の視野角規制フイルム１０を使用して演出を行う構成としてもよい。図８は、２つの視野角規制フイルム８０ａ，８０ｂを重ねて使用することで演出を行う構成を示す概略図である。なお、この図８に示す例では、上記実施形態と同様の移動機構を備え、視野角規制フイルム８０ａ，８０ｂをそれぞれ移動可能としている。また、上記実施形態と同様に、各種操作が行われた場合、あるいは、各種操作から所定時間経過したときに、視野角規制フイルム８０ａ，８０ｂの移動を行う。そして、この例の場合、２つの視野角規制フイルム８０ａ，８０ｂを同じ寸法として同じ位置に重ねているために、これらが重なっていることは遊技者からは分かり難くなっている。さらに、２つの視野角規制フイルム８０ａ，８０ｂが重なっている初期状態（図８（Ａ）に示す状態）から、２枚の視野角規制フイルム８０ａ，８０ｂが同時に退避位置へ移動した規制解除状態（図８（Ｂ）に示す状態）、あるいは、視野角規制フイルム８０ａ，８０ｂのうち一方の視野角規制フイルム８０ａだけが退避位置に移動し、他方の視野角規制フイルム８０ｂは視野角規制位置にある視野角規制状態（図８（Ｃ）に示す状態）のいずれかを選択的に制御するようにする。
【００３１】
このような構成とすることで、以下で説明するような演出を行うことが可能となる。先ず図８（Ａ）に示す初期状態から、２つの視野角規制フイルム８０ａ，８０ｂがともに移動して図８（Ｂ）に示す規制解除状態に変化したときには、視認不可能となっていた部分が視認可能となり、演出画像が変化する。これによって、遊技者は視野角規制フイルムが移動した場合、画像が変化するという認識を植え付けられることになる。ところが、初期状態から、１つの視野角規制フイルム８０ａのみが移動して図８（Ｃ）に示す視野角規制状態となったときには、画像は変化しないので、上記の認識を植え付けられた遊技者は、あたかもフェイントをかけられたかのような印象を受け、この次は画像の変化があるのか否かという期待感を持つようになる。
【００３２】
また、２つの視野角規制フイルムを用いたものとしては図９に示すような構成が上げられる。この図９に示す例では、画像表示装置８の前面に２つの視野角規制フイルム９０ａ，９０ｂを幅方向に隣接して並べた初期状態（図９（Ａ）に示す状態）から、２つの視野角規制フイルム９０ａ，９０ｂの両方が退避位置に移動した全面規制解除状態（図９（Ｂ）に示す状態）、視野角規制フイルム９０ａ，９０ｂのうち、一方のみが退避位置に移動した半面規制解除状態（図９（Ｃ），図９（Ｄ）に示す状態）のうち、いずれか１つの状態を選択的に行うように制御することができるので、さらに遊技性を向上することができる。
【図面の簡単な説明】
【００３３】
【図１】本発明の第１実施形態を適用したスロットマシンの斜視図である。
【図２】画像表示装置周辺の構成を示す斜視図である。
【図３】視野角規制フイルム及び移動機構の動作の状態を示す説明図である。
【図４】視野角規制フイルムの移動による演出を示す説明図である。
【図５】視野角規制フイルムを視認する遊技者を示す説明図である。
【図６】第１実施形態の第１の変形例を示す概略図である。
【図７】第１実施形態の第２の変形例を示す概略図である。
【図８】第１実施形態の第３の変形例を示す概略図である。
【図９】第１実施形態の第４の変形例を示す概略図である。
【符号の説明】
【００３４】
２  スロットマシン
８  画像表示装置（画像表示手段）
１０，７０，７１，７２、８０ａ，８０ｂ，９０ａ，９０ｂ  視野角規制フイルム（視野角規制フイルタ）
１１  移動機構（移動手段）
【図１】
2006230695.tif 000003
【図２】
2006230695.tif 000004
【図３】
2006230695.tif 000005
【図４】
2006230695.tif 000006
【図５】
2006230695.tif 000007
【図６】
2006230695.tif 000008
【図７】
2006230695.tif 000009
【図８】
2006230695.tif 000010
【図９】
2006230695.tif 000011